(57)【要約】    【課題】簡単な操作でありながら、確実に動作開始、停止が可能となる、携帯型端末に適したスイッチを提供する。    【解決手段】携帯型端末の動作回路の途中に設けられ、動作開始、停止の操作をするためのスイッチであって、少なくとも２回路の接触感知器を備え、両方の接触感知器が接触を受けて反転したときにのみ導通または遮断する。携帯型端末として、データキャリアシステムにおける質問器、バーコードシステムのハンディ型バーコード読取り装置の他、広くウエアラブル電子機器に適用できる。【選択図】          図２
2007143023.tif 000002
【特許請求の範囲】
【請求項１】
携帯型端末の動作回路の途中に設けられ、動作開始、停止の操作をするためのスイッチであって、少なくとも２回路の接触感知器を備え、両方の接触感知器が接触を受けて反転したときにのみ導通または遮断することを特徴とする携帯型端末のスイッチ。
【請求項２】
前記した２回路の接触感知器がアンド回路の入力に接続し、該アンド回路の出力が該スイッチのトリガに接続していることを特徴とする請求項１に記載の携帯型端末のスイッチ。
【請求項３】
前記した２回路の接触感知器が接触式静電容量スイッチであることを特徴とする請求項１に記載の携帯型端末のスイッチ。
【請求項４】
該携帯型端末がウエアラブル電子機器であることを特徴とする請求項１に記載の携帯型端末のスイッチ。
【請求項５】
該携帯型端末がデータキャリアシステムにおける質問器であることを特徴とする請求項１に記載の携帯型端末のスイッチ。
【請求項６】
該携帯型端末がバーコードシステムのハンディ型バーコード読取り装置であることを特徴とする請求項１に記載の携帯型端末のスイッチ。
【発明の詳細な説明】
【技術分野】
【０００１】
本発明は、携帯型端末装置の動作開始、停止の操作をするためのスイッチに関するものである。
【背景技術】
【０００２】
携帯型端末における動作開始、停止の操作スイッチは、押下力を利用した方式が主流である。このような押下型スイッチは、クリック機構を付加して開閉を確実に押したという感覚を持たせている。そのために適当な押下力とストロークが必要である。
【０００３】
携帯型端末装置でデータ処理開始のためにスイッチを押すとき、あるいは短時間に頻繁に開閉操作を行なう作業では、作業者はスイッチを確実に押す動作が必要になる。そのための操作時間が必要であり、かつ頻繁に押す作業のために手に疲労がともない作業効率が落ちてしまう問題がある。また、作業上操作する側の手に物を持っている場合は、スイッチを押すという動作自体が困難になる。両手をできるだけ自由にしたいという目的で採用されるウエアラブル機器は腕に装着して使用するものである。ウエアラブル機器は、左手首に装置を固定し、右手でスイッチを押すという操作のために、端末をしっかり固定しておかなければならなず、操作自体が作業効率の低下を招いている。
【０００４】
かかる問題を解決するための、ウエアラブル電子機器の一例が特許文献１に記載されている。
【０００５】
携帯型端末装置にハンディ型のバーコード読取り装置やデータキャリアシステムの質問器がある。これらの機器で、すばやく交信を行なうために相手方に対して絶えずポーリングを行なうか、または間欠的にではあっても交信にストレスがない間隔でポーリングを行なう必要がある。そのため機器のメイン電源がバッテリーである場合には、省電力動作が難しくなっている。これを解決する手段として、交信時のみ交信用回路の電源をONにする方法もあるが、スイッチを確実に押すという動作が作業効率の低下を招いている。
【０００６】
上記問題を解決する手段として、携帯型端末のスイッチに接触感知スイッチを採用するのが有効である。接触感知スイッチは、例えば特許文献２に記載されているような静電容量スイッチが使用できる。操作を容易にするには、接触検知感度を上げて軽く触れるだけで動作の開始、停止を行なうようにする必要がある。しかしながら、検知感度を上げると、意図しない接触等でも検知してしまい動作開始を行なってしまう可能性がある。
【０００７】
【特許文献１】特開２００３−２８３６３０号公報
【特許文献２】特開平７−２８３８４８号公報
【発明の開示】
【発明が解決しようとする課題】
【０００８】
従来の携帯型端末では、動作開始、停止の操作スイッチは、操作の確実性を希求すると扱いが不便になり、操作を容易にすると、意図しない動作開始、停止が行われてしまうという問題点があった。本発明は、このような問題点を解消し、簡単な操作でありながら、確実に動作開始、停止が可能となる、携帯型端末に適したスイッチを提供することを目的とする。
【課題を解決するための手段】
【０００９】
前記の目的を達成するためになされた、特許請求の範囲の請求項１に記載された発明は、携帯型端末の動作回路の途中に設けられ、動作開始、停止の操作をするためのスイッチであって、少なくとも２回路の接触感知器を備え、両方の接触感知器が接触を受けて反転したときにのみ導通または遮断することを特徴とする携帯型端末のスイッチである。
【００１０】
同じく請求項２に記載された発明は、前記した２回路の接触感知器がアンド回路の入力に接続し、該アンド回路の出力が該スイッチのトリガに接続していることを特徴とする請求項１に記載の携帯型端末のスイッチである。
【００１１】
請求項３に記載された発明は、前記した２回路の接触感知器が接触式静電容量スイッチであることを特徴とする請求項１に記載の携帯型端末のスイッチである。
【００１２】
請求項４に記載された発明は、該携帯型端末がウエアラブル電子機器であることを特徴とする請求項１に記載の携帯型端末のスイッチである。
【００１３】
請求項５に記載された発明は、該携帯型端末がデータキャリアシステムにおける質問器であることを特徴とする請求項１に記載の携帯型端末のスイッチである。
【００１４】
請求項６に記載された発明は、該携帯型端末がバーコードシステムのハンディ型バーコード読取り装置であることを特徴とする請求項１に記載の携帯型端末のスイッチである。
【発明の効果】
【００１５】
本発明の携帯型端末のスイッチは、接触感知器にヒトの手指などが軽く触れるだけで携帯型端末の動作開始、停止をできるので、操作者のスイッチ操作に負担がかからない。その一方で、接触感知器は２回路を有し、その両方の接触感知器に触れなければスイッチの反転がなく、携帯型端末の不本意な動作開始、停止を防ぐことができる。
【００１６】
機器として、必要なときだけ携帯型端末の動作開始、停止を確実にできるから、不必要なポーリングを省くことができ、省電力化を実現できる。このように携帯型端末の操作における作業効率の改善を期待できる。
【実施例】
【００１７】
以下、本発明の実施例を図面を参照して詳細に説明するが、本発明の範囲はこれらの実施例に限定されるものではない。
【００１８】
図１は、本発明を適用するスイッチを組み込んだ携帯型端末の一例であるウエアラブル電子機器１の使用状態、すなわち腕１０に装着した状態における外観図を示すものである。ウエアラブル電子機器１には、動作開始、停止の操作スイッチボタン３、およびパネルスイッチ４が取り付けられている。操作スイッチボタン３は接触感知器である静電容量スイッチの接触子であり、ヒトの手指が触れると静電容量が変化してスイッチがオン、オフするようになっている。パネルスイッチ４は機器の表示窓板を兼ねた接触感知器であり、静電容量スイッチの接触子となっている。なお、パネルスイッチ４は、スイッチのタッチ操作部分を凹凸構造にして有感部分を分かりやすくしてもよい。
【００１９】
図２は、本発明を適用するスイッチ周辺の実施例の回路図を示すものである。操作スイッチボタンの接触感知器３、およびタッチパネルスイッチの接触感知器４は、アンドゲート６で結ばれ、アンドゲート６の出力は反転スイッチ７のトリガ端子に接続されている。反転スイッチ７は、電源Ｖからウエアラブル電子機器１の負荷に到る途中に接続されている。
【００２０】
図１、図２に示した本発明のスイッチの動作を図３に示すタイムチャートを参照して説明する。腕１０にはめられたウエアラブル電子機器１の使用を開始するには、操作スイッチボタン（接触感知器３）に触れながら、パネルスイッチ（接触感知器４）に触れる。すると接触感知器３がオンになり、接触感知器４からオン信号が入るとアンドゲート６からオン信号が出て反転スイッチ７のトリガ端子に入る。すると反転スイッチ７が導通して電源Ｖが負荷に通じ、ウエアラブル電子機器１は使用状態となる。
【００２１】
使用を停止するときには、パネルスイッチに触れながら、操作スイッチボタンに触れるとアンドゲート６からオン信号が出て反転スイッチ７がオフになり、電源Ｖが遮断される。または、タイマー等を使用し、決められた一連の操作終了後に自動的にオフになるように構成してもよい。
【００２２】
勿論、上記のウエアラブル電子機器１の使用開始、使用停止における操作スイッチボタン（接触感知器３）、およびパネルスイッチ（接触感知器４）に触れる順番はどのようであっても、両方の接触感知器に触れた状態があれば、アンドゲート６がオンになるので、使用開始、使用停止の操作はなされる。
【００２３】
尚、上記の接触感知器は、感度設定の容量を変更し、感度を調整できるように構成することもできる。また、接触感知器を近接スイッチに置き換えて、本発明の携帯型端末のスイッチとすることも可能である。
【図面の簡単な説明】
【００２４】
【図１】本発明を適用するスイッチを組み込んだ携帯型端末の使用状態を示す外観図である。
【００２５】
【図２】本発明を適用するスイッチ周辺の実施例を示す回路図である。
【００２６】
【図３】本発明を適用する携帯型端末のスイッチを使用したときのタイムチャート図である。
【符号の説明】
【００２７】
１はウエアラブル電子機器、３は操作スイッチボタン、４はパネルスイッチ、６はアンドゲート、７は反転スイッチ、１０は腕    である。
【図１】
2007143023.tif 000003
【図２】
2007143023.tif 000004
【図３】
2007143023.tif 000005